(57)【要約】【課題】電池の寿命が尽きかけたことを自から報知できるようにする。【解決手段】ＩＤデータを無線送信した回数に応じて第１の値Ｋａを計数すると共に操作データを無線送信した回数に応じて第２の値Ｋｂを計数し、その計数した値が規定値（予め計算した電池の寿命に対応する値）Ｋmaxに達したときに視覚的または聴覚的に警報する。【効果】無線タグ自体で、その電池寿命が尽きかけたことが判る。【選択図】図３
2005234613.tif 000002
【特許請求の範囲】
【請求項１】
ＩＤデータを繰り返し無線送信するＩＤデータ無線送信手段と、ＩＤデータを無線送信した回数に応じて第１の値を計数する計数手段と、前記計数した値が規定値に達したときに視覚的または聴覚的に警報する電池寿命警報手段と、前記各手段に給電する電池とを具備したことを特徴とする無線タグ。
【請求項２】
ＩＤデータを繰り返し無線送信するＩＤデータ無線送信手段と、ＩＤデータを無線送信したことを視覚的または聴覚的に報知する報知手段と、ＩＤデータを無線送信した回数に応じて第１の値を計数する計数手段と、前記計数した値が規定値に達したときに前記報知手段を利用して警報する電池寿命警報制御手段と、前記各手段に給電する電池とを具備したことを特徴とする無線タグ。
【請求項３】
ＩＤデータを繰り返し無線送信するＩＤデータ無線送信手段と、操作スイッチと、前記操作スイッチが操作されたとき操作データを無線送信する操作データ無線送信手段と、前記操作を受け付けたことを視覚的または聴覚的に報知する報知手段と、ＩＤデータを無線送信した回数に応じて第１の値を計数すると共に操作データを無線送信した回数に応じて第２の値を計数する計数手段と、前記計数した値が規定値に達したときに前記報知手段を利用して警報する電池寿命警報手段と、前記各手段に給電する電池とを具備したことを特徴とする無線タグ。
【発明の詳細な説明】
【技術分野】
【０００１】
本発明は、無線タグに関し、さらに詳しくは、電池の寿命が尽きかけたことを報知できるようにした無線タグに関する。
【背景技術】
【０００２】
従来、データを無線送信した回数が閾値を超えたときに電池消耗ＩＤ識別情報を無線送信する無線タグと、電池消耗ＩＤ識別情報を受信したら表示器にどの無線タグから電池消耗ＩＤ識別情報を受信したかを表示する上位コントローラとが知られている。
【特許文献１】特開２００３−１４１４６２号公報（［００２６］[００３７]）
【発明の開示】
【発明が解決しようとする課題】
【０００３】
上記従来技術では、無線タグ自体では、その電池寿命が尽きかけたことが判らない問題点があった。
そこで、本発明の目的は、電池の寿命が尽きかけたことを自から報知できるようにした無線タグを提供することにある。
【課題を解決するための手段】
【０００４】
第１の観点では、本発明は、ＩＤデータを繰り返し無線送信するＩＤデータ無線送信手段と、ＩＤデータを無線送信した回数に応じて第１の値を計数する計数手段と、前記計数した値が規定値に達したときに視覚的または聴覚的に警報する電池寿命警報手段と、前記各手段に給電する電池とを具備したことを特徴とする無線タグを提供する。
ＩＤデータを一定間隔で繰り返し無線送信する無線タグでは、１回の無線送信の消費電力と前回の無線送信からの待機時間での消費電力とを合わせた消費電力は一定である。この消費電力に対応する値を第１の値とする。
そして、上記第１の観点による無線タグでは、ＩＤデータを無線送信した回数に応じて第１の値を計数し、その計数した値が規定値（予め計算した電池の寿命に対応する値）に達したときに視覚的または聴覚的に警報する。これにより、無線タグ自体で、その電池寿命が尽きかけたことが判るようになる。
なお、ＩＤデータを可変間隔で繰り返し無線送信する無線タグでは、第１の値を、前回の無線送信から今回の無線送信までの送信間隔時間に応じた可変値とすればよい。すなわち、前回の無線送信から今回の無線送信までの待機時間に単位待機時間の消費電力を乗じた値と１回の無線送信の消費電力の和に対応する値を第１の値とすればよい。
【０００５】
第２の観点では、本発明は、ＩＤデータを繰り返し無線送信するＩＤデータ無線送信手段と、ＩＤデータを無線送信したことを視覚的または聴覚的に報知する報知手段と、ＩＤデータを無線送信した回数に応じて第１の値を計数する計数手段と、前記計数した値が規定値に達したときに前記報知手段を利用して警報する電池寿命警報制御手段と、前記各手段に給電する電池とを具備したことを特徴とする無線タグを提供する。
ＩＤデータを一定間隔で繰り返し無線送信する無線タグでは、１回の無線送信の消費電力と前回の無線送信からの待機時間での消費電力とを合わせた消費電力は一定である。この消費電力に対応する値を第１の値とする。
そして、上記第２の観点による無線タグでは、ＩＤデータを無線送信した回数に応じて第１の値を計数し、その計数した値が規定値（予め計算した電池の寿命に対応する値）に達したときに視覚的または聴覚的に警報する。これにより、無線タグ自体で、その電池寿命が尽きかけたことが判るようになる。また、ＩＤデータを無線送信したことを視覚的または聴覚的に報知する報知手段を利用してこの警報を行うので、警報専用の報知手段が不要になる。
なお、ＩＤデータを可変間隔で繰り返し無線送信する無線タグでは、第１の値を、前回の無線送信から今回の無線送信までの送信間隔時間に応じた可変値とすればよい。すなわち、前回の無線送信から今回の無線送信までの待機時間に単位待機時間の消費電力を乗じた値と１回の無線送信の消費電力の和に対応する値を第１の値とすればよい。
【０００６】
第３の観点では、本発明は、ＩＤデータを繰り返し無線送信するＩＤデータ無線送信手段と、操作スイッチと、前記操作スイッチが操作されたとき操作データを無線送信する操作データ無線送信手段と、前記操作を受け付けたことを視覚的または聴覚的に報知する報知手段と、ＩＤデータを無線送信した回数に応じて第１の値を計数すると共に操作データを無線送信した回数に応じて第２の値を計数する計数手段と、前記計数した値が規定値に達したときに前記報知手段を利用して警報する電池寿命警報手段と、前記各手段に給電する電池とを具備したことを特徴とする無線タグを提供する。
ＩＤデータを一定間隔で繰り返し無線送信する無線タグでは、１回の無線送信の消費電力と前回の無線送信からの待機時間での消費電力とを合わせた消費電力は一定である。この消費電力に対応する値を第１の値とする。次に、操作データの無線送信を１回行ったときの消費電力も、やはり一定である。この消費電力に対応する値を、ＩＤデータの無線送信を１回行ったときの消費電力と異なる場合も考慮して、第２の値とする。
そして、上記第３の観点による無線タグでは、ＩＤデータを無線送信した回数に応じて第１の値を計数すると共に操作データを無線送信した回数に応じて第２の値を計数し、その計数した値が規定値（予め計算した電池の寿命に対応する値）に達したときに視覚的または聴覚的に警報する。これにより、無線タグ自体で、その電池寿命が尽きかけたことが判るようになる。また、操作を受け付けたことを視覚的または聴覚的に報知する報知手段を利用してこの警報を行うので、警報専用の報知手段が不要になる。
なお、ＩＤデータを可変間隔で繰り返し無線送信する無線タグでは、第１の値を、前回の無線送信から今回の無線送信までの送信間隔時間に応じた可変値とすればよい。すなわち、前回の無線送信から今回の無線送信までの待機時間に単位待機時間の消費電力を乗じた値と１回の無線送信の消費電力の和に対応する値を第１の値とすればよい。
【発明の効果】
【０００７】
本発明の無線タグによれば、電池の寿命が尽きかけたことを、無線タグ自体がら報知できるようになる。
【発明を実施するための最良の形態】
【０００８】
以下、図に示す実施の形態により本発明をさらに詳細に説明する。なお、これにより本発明が限定されるものではない。
【実施例１】
【０００９】
図１は、実施例１にかかる無線タグ１を示す平面図である。
この無線タグ１は、プラスチック製の扁平なケース３０内に、ボタン電池１４と、回路基板３１とを収容したものである。回路基板３１には、操作スイッチ２やＬＥＤ１２やブザー１３が搭載されている。操作スイッチ２の押しボタンは、ケース３０外に露出している。また、ＬＥＤ１２の点灯は、ケース３０を透して視認できる。また、ブザー１３の音は、ケース３０を介して聴認できる。
【００１０】
図２は、無線タグ１の構成を示すブロック図である。
無線タグ１の処理回路１５は、操作スイッチ２，ＬＥＤ１２およびブザー１３に加えて、ＩＤデータや操作データ等のデータやプログラムを記憶しているメモリ１６と、一定間隔または可変間隔で自動的にＩＤデータを無線送信すると共に操作スイッチ２が操作された時に操作データを直ちに無線送信する制御を行うマイコン１７と、ＩＤデータや操作データを無線送信する電波を発信するための送信回路１８およびアンテナ１９とを具備している。
【００１１】
図３は、マイコン１７が実行する無線タグ処理を示すフロー図である。
この無線タグ処理は、ボタン電池１４が入れられると起動される。
【００１２】
ステップＲ１では、消費電力カウンタを０に初期化する。
ステップＲ２では、所定アルゴリズムで送信間隔Ｔ４を設定する。送信間隔Ｔ４を可変にするアルゴリズムは、例えば特表２００３−５００９７５号公報に開示されている。送信間隔Ｔ４を一定にする場合は、単に一定値を送信間隔Ｔ４に設定するだけでよい。
【００１３】
ステップＲ３では、第１の値Ｋａとして、ＩＤデータの１回の電波送信に要する消費電力Ｗｃに対応した値Ｋｃを設定する。
図４に、消費電流Ｉの時間変化を例示する。
ＩＤデータを電波送信するときの消費電流Ｉは、まず時間Ｔ1aだけ電流Ｉ２となり、次に時間Ｔ２だけ電流Ｉ３となり、最後に時間Ｔ1bだけ電流Ｉ２となる。例えばＴ1a＝Ｔ1b＝０.５［ｍｓ］，Ｉ２＝６００［μＡ］，Ｔ２＝３［ｍｓ］，Ｉ３＝４［ｍＡ］である。
従って、ＩＤデータの電波送信に要する消費電力Ｗｃは、
Ｗｃ＝Ｔ1a×Ｉ２＋Ｔ２×Ｉ３＋Ｔ1b×Ｉ２
＝１２.６［μA・S］
この消費電力Ｗｃに対応した値Ｋｃは、例えば「１２６０」とする。
【００１４】
ステップＲ４では、ＩＤデータの無線送信を過去送信間隔Ｔ４時間内に行っていたならステップＲ９へ進み、ＩＤデータの無線送信を過去送信間隔Ｔ４時間以上行っていないならステップＲ５へ進む。
ステップＲ５では、ＩＤデータを無線送信する。
ステップＲ６では、消費電力カウンタをＫａだけ増加させる。
ステップＲ７では、所定アルゴリズムで送信間隔Ｔ４を設定する。送信間隔Ｔ４を可変にするアルゴリズムは、例えば特表２００３−５００９７５号公報に開示されている。送信間隔Ｔ４を一定にする場合は、単に一定値を送信間隔Ｔ４に設定するだけでよい。
ステップＲ８では、第１の値Ｋａとして、ＩＤデータの１回の電波送信に要する消費電力Ｗｃに対応した値Ｋｃに、次回のＩＤデータの電波送信までの待機時間中の消費電力Ｗｄに対応した値Ｋｄを加えた値「Ｋｃ＋Ｋｄ」を設定する。
図４に、消費電流Ｉの時間変化を例示する。
待機中の消費電流Ｉは、Ｉ１である。例えばＩ１＝１０［μＡ］である。また、送信間隔Ｔ４を一定にする場合を想定すると例えばＴ４＝９９６［ｍｓ］である。
従って、次回のＩＤデータの電波送信までの待機時間中の消費電力Ｗｄは、
Ｗｄ＝Ｔ４×Ｉ１
＝９.９６［μA・S］
この消費電力Ｗｄに対応した値Ｋｄは、例えば「９９６」とする。
よって、第１の値Ｋａ＝１２６０＋９９６＝２２５６とする。
【００１５】
ステップＲ９では、操作スイッチ２が押されたかチェックし、押されたらステップＲ１０へ進み、押されていなければステップＲ１３へ進む。
ステップＲ１０では、ＬＥＤ１２を短時間点灯し、操作を受け付けたことを報知する。
ステップＲ１１では、操作データを無線送信する。
【００１６】
ステップＲ１２では、消費電力カウンタを第２の値Ｋｂだけ増加させる。
図４に、消費電流Ｉの時間変化を例示する。
操作データを電波送信するときの消費電流Ｉは、まず時間Ｔ5aだけ電流Ｉ２となり、次に時間Ｔ６だけ電流Ｉ３となり、最後に時間Ｔ5bだけ電流Ｉ２となる。例えばＴ5a＝Ｔ5b＝０.５［ｍｓ］，Ｉ２＝６００［μＡ］，Ｔ６＝４［ｍｓ］，Ｉ３＝４［ｍＡ］である。
従って、操作データの電波送信に要する消費電力Ｗｂは、
Ｗｂ＝Ｔ5a×Ｉ２＋Ｔ６×Ｉ３＋Ｔ5b×Ｉ２
＝１６.６［μA・S］
この消費電力Ｗｂに対応した値Ｋｂは、例えば「１６６０」とする。
【００１７】
ステップＲ１３では、消費電力カウンタの値が規定値Ｋmax未満ならステップＲ４に戻り、規定値Ｋmax以上ならステップＲ１４へ進む。
例えばボタン電池１４の容量が２２０［mA・H］＝７９２［A・S］なら、安全率「０.９」を掛けて７９２×０.９＝７１２.８［A・S］＝＝７１２８０００００［μA・S］なので、規定値Ｋmaxを例えば「７１２８０００００００」とする。
なお、精度は下がるが、簡単化のため、Ｋａ＝２３，Ｋｂ＝１７，Ｋmax＝７１２８０００００としてもよい。
【００１８】
ステップＲ１４では、電池切れデータを無線送信する。
ステップＲ１５では、ブザー１３を短時間鳴らし、ＬＥＤ１２を規定パターンで点滅する（例えば０.５秒点灯し１秒消灯するパターンを繰り返す）。そして、ステップＲ４に戻る。
【００１９】
以上の無線タグ１によれば、次の効果が得られる。
（１）ボタン電池１４の寿命が尽きかけたことを自ら報知することが出来る。
（２）ＩＤデータの送信間隔Ｔ４は、一定でも可変でもよい。
（３）操作スイッチ２を押すことで、所望時に操作データを無線送信できる。このときの消費電力も電池寿命の判定に加味できる。
【００２０】
なお、無線タグ１から操作スイッチ２を省いた構成の無線タグでは、図３のステップＲ９〜Ｒ１２を省略できる。つまり、第１の値Ｋａだけを計数して電池寿命を判定できる。さらに、ＩＤデータの送信間隔Ｔ４が一定なら、第１の値Ｋａも一定なので、例えばＫａ＝２２５６，Ｋmax＝７１２８０００００００を、Ｋａ＝１，Ｋmax＝３１５９５７４５に簡略化してもよい。
【００２１】
図５は、無線タグ１を用いた作業者支援システム１００を示す構成図である。なお、複数の無線タグ１を区別するために参照符号を１ａ，１ｂ，…のようにする。
この作業者支援システム１００は、各作業者Ｗａ〜Ｗｅにそれぞれ携帯され操作スイッチ２ａ〜２ｅをそれぞれが有する無線タグ１ａ〜１ｅと、作業工程や生産ラインにより区画された作業場Ｐごとに設置され無線タグ１ａ〜１ｅから受信したデータおよび情報処理装置７からの指令に基づいて表示装置５を制御すると共に情報処理装置７からの指令に基づいて感度を変更しうる無線受信機３と、作業場Ｐ内だけを受信エリア３Ａとするように設置された漏洩アンテナ３Ｂと、各作業者Ｗａ〜Ｗｅの出欠状態の表示および呼出合図の表示を行うための表示灯Ｌａ〜Ｌｅを有する表示装置５と、無線受信機３と情報処理装置７とを結ぶネットワーク６と、無線受信機３で受信したデータにより作業者の入退場管理等を行う情報処理装置７と、情報処理装置７が参照するデータベース８とを具備している。
【００２２】
なお、無線タグ１ａ〜１ｅがＩＤデータａ〜ｅを無線送信する送信間隔Ｔ４は、一定の場合は少しずつ異なっており、可変の場合は可変パターンが少しずつ異なっており、どの無線タグも他と衝突せずにＩＤデータを発信する機会が所定期間（例えば１分間）内に少なくとも１回ある。
【００２３】
図６は、無線受信機３の動作を示すフロー図である。
ステップＰ１では、無線受信機３が内蔵するＩＤデータのリストをクリアし、所定時間経過（例えば１分間経過）でタイムアップするタイマをスタートする。
【００２４】
ステップＰ２では、情報処理装置７からネットワーク６を介して感度変更指令を受けたかチェックし、受けたならステップＰ３へ進み、受けていないならステップＰ４へ進む。
ステップＰ３では、感度変更指令に従って感度を変更する。そして、ステップＳ４へ進む。
【００２５】
ステップＰ４では、情報処理装置７からネットワーク６を介してリセット指令を受けたかチェックし、受けたならステップＰ５へ進み、受けていないならステップＰ６へ進む。
ステップＰ５では、表示装置５の点滅している表示灯を消灯する。そして、ステップＳ６へ進む。
【００２６】
ステップＰ６では、無線タグ１ａ〜１ｅのいずれかから操作データを受信したかチェックし、受信したならステップＰ７へ進み、受信してないならステップＰ１１へ進む。
ステップＰ７では、受信した操作データおよび受信時刻を情報処理装置７にネットワーク６を介して報告する。なお、情報処理装置７が複数の作業場を管理しているなら、無線受信機３が担当している作業場データも情報処理装置７に報告する。
ステップＰ８では、受信した操作データが上位作業者Ｗａの無線タグ１ａからのものか否かをチェックし、上位作業者Ｗａの無線タグ１ａからの操作データでないならステップＰ９へ進み、上位作業者Ｗａの無線タグ１ａからの操作データならステップＰ１０へ進む。
ステップＰ９では、受信した操作データに対応する表示装置５の表示灯を点滅にする。そして、ステップＰ１１へ進む。
【００２７】
ステップＰ１０では、表示装置５の点滅している表示灯を消灯する。そして、ステップＳ１１へ進む。
【００２８】
ステップＰ１１では、無線タグ１ａ〜１ｅのいずれかからＩＤデータまたは電池切れデータを受信したかチェックし、受信したならステップＰ１３へ進み、受信してないならステップＰ１５へ進む。
ステップＰ１３では、受信したＩＤデータおよびその受信時刻または電池切れデータおよびその受信時刻をリストに登録する。そして、ステップＰ１５へ進む。
【００２９】
ステップＰ１５では、タイマがタイムアップしたかチェックし、タイムアップしたならステップＰ１６へ進み、タイムアップ前ならステップＰ２へと戻る。
【００３０】
ステップＰ１６では、リストに登録したＩＤデータおよびその受信時刻，電池切れデータおよびその受信時刻を情報処理装置７にネットワーク６を介して報告する。なお、情報処理装置７が複数の作業場を管理しているなら、無線受信機３が担当している作業場データも情報処理装置７に報告する。
ステップＰ１７では、リストに登録したＩＤデータに対応する表示装置５の表示灯のみを点灯にする。そして、ステップＰ１へと戻る。
【００３１】
図７は、情報処理装置７の動作を示すフロー図である。
ステップＱ１では、管理者が感度変更を指示したか否かチェックし、感度変更が指示されたならステップＱ２へ進み、感度変更が指示されてないならステップＱ３へ進む。
ステップＱ２では、無線受信機３へネットワーク６を介して感度変更指令を送る。そして、ステップＱ３へ進む。
【００３２】
ステップＱ３では、管理者がリセットを指示したか否かチェックし、リセットが指示されたならステップＱ４へ進み、リセットが指示されてないならステップＱ５へ進む。
ステップＱ４では、無線受信機３へネットワーク６を介してリセット指令を送る。そして、ステップＱ５へ進む。
【００３３】
ステップＱ５では、無線受信機３からネットワーク６を介して報告を受けたかチェックし、受けたならステップＱ６へ進み、受けてないならステップＱ１へと戻る。
ステップＱ６では、報告内容によりデータベース８を更新する。すなわち、報告に含まれていた各ＩＤデータについてデータベース８で最後の記録が「退場時刻」になっているもの又は「入場時刻」の記録が１回もないものは該ＩＤデータに対応する作業者の「入場時刻」に受信時刻を追加する（データベース８で最後の記録が「入場時刻」又は「操作時刻」になっているものは追加しない）。また、データベース８で最後の記録が「入場時刻」又は「操作時刻」になっているものであって報告に含まれていなかった各ＩＤデータについては現在時刻を該ＩＤデータに対応する作業者の「退場時刻」として追加する（データベース８で最後の記録が「退場時刻」になっているものは追加しない）。さらに、報告に含まれていた操作データの受信時刻は、作業者の「操作時刻」として追加する。
【００３４】
ステップＱ７では、電池切れデータを受信した旨の報告を受けていないならステップＱ１に戻り、電池切れデータを受信した旨の報告を受けていたらステップＱ８へ進む。
ステップＱ８では、電池切れデータを受信した報告があるＩＤデータおよび電池寿命が尽きかけている旨のメッセージを表示する。そして、ステップＱ１へと戻る。
【００３５】
図８は、上位作業者Ｗａの無線タグ１ａに関するデータベース８の内容を示す概念図である。
「入場時刻」は、上位作業者Ｗａが作業場Ｐ（受信エリア３Ｂ）に入った時刻である。
「退場時刻」は、上位作業者Ｗａが作業場Ｐ（受信エリア３Ｂ）から出た時刻である。
「操作時刻」は、上位作業者Ｗａが作業場Ｐ（受信エリア３Ｂ）内で無線タグ１ａの操作スイッチ２ａを操作した時刻である。
「電池切れ時刻」は、無線タグ１ａから電池切れデータを受信した時刻である。
【００３６】
図９は、上位作業者Ｗａに指揮される作業者Ｗｂの無線タグ１ｂに関するデータベース８の内容を示す概念図である。
「入場時刻」は、作業者Ｗｂが作業場Ｐ（受信エリア３Ｂ）に入った時刻である。
「退場時刻」は、作業者Ｗｂが作業場Ｐ（受信エリア３Ｂ）から出た時刻である。
「操作時刻」は、作業者Ｗｂが作業場Ｐ（受信エリア３Ｂ）内で無線タグ１ｂの操作スイッチ２ｂを操作した時刻である。
「電池切れ時刻」は、無線タグ１ｂから電池切れデータを受信した時刻である。
【００３７】
上記作業者支援システム１００には、次の利点がある。
（１）無線タグ１ａ〜１ｅを携帯した作業者Ｗａ〜Ｗｅが作業場Ｐへ居ると対応する表示灯Ｌａ〜Ｌｅが点灯し、作業場Ｐに居ないと対応する表示灯Ｌａ〜Ｌｅが消灯するので、作業者の入退場状態を容易に確認できる。
（２）作業者Ｗａ〜Ｗｅの入退場時刻が情報処理装置７で蓄積され、正確な入退場管理を行える。
（３）作業者Ｗｂ〜Ｗｅが無線タグ１ｂ〜１ｅの操作スイッチ２ｂ〜２ｅを操作すれば、対応する表示灯Ｌｂ〜Ｌｅが点滅するので、要求を迅速に通知することが出来る（例えば、上位作業者２ａを呼ぶ、部品の追加を要求する等）。
（４）作業者Ｗａが無線タグ１ａの操作スイッチ２ａを操作すれば、表示灯Ｌｂ〜Ｌｅの点滅をリセットできる。
（５）情報処理装置７からリセット指令を送ることで、表示灯Ｌｂ〜Ｌｅの点滅をリセットできる。
（６）情報処理装置７から感度変更指令を送ることで、無線受信機３の受信感度を調整でき、作業状況や作業者Ｗａ〜Ｗｅの配置などに応じて受信エリア３Ｂを設定できる。
（７）漏洩アンテナ３Ａの引き回しを変えることで、無線受信機３の受信感度を調整でき、作業状況や作業者Ｗａ〜Ｗｅの配置などに応じて受信エリア３Ｂを設定できる。
【００３８】
なお、表示装置５の表示灯Ｌａ〜Ｌｅの状態を点灯／消灯／点滅としたが、緑／黄／赤のように色を変化させてもよい。また、文字列や図形を表示する表示装置を用いてもよい。また、音声出力装置を加えて、操作データが発信されたことを音響により報知するようにしてもよい。
【産業上の利用可能性】
【００３９】
本発明の無線タグは、電池寿命を自ら報知しうる無線タグとして利用できる。
【図面の簡単な説明】
【００４０】
【図１】実施例１に係る無線タグを示す平面図である。
【図２】実施例１に係る無線タグを示すブロック図である。
【図３】実施例１に係る無線タグ処理を示すフロー図である。
【図４】実施例１に係る無線タグの消費電流を示すグラフ図である。
【図５】作業者支援システムを示す構成図である。
【図６】無線受信機の動作を示すフロー図である。
【図７】情報処理装置の動作を示すフロー図である。
【図８】ある作業者のデータベースの内容を示す概念図である。
【図９】別の作業者のデータベースの内容を示す概念図である。
【符号の説明】
【００４１】
１，１ａ〜１ｅ                無線タグ
２，２ａ〜２ｅ                操作スイッチ
１２                          ＬＥＤ
１３                          ブザー
１４                          ボタン電池
１７                          マイコン
【図１】
2005234613.tif 000003
【図２】
2005234613.tif 000004
【図３】
2005234613.tif 000005
【図４】
2005234613.tif 000006
【図５】
2005234613.tif 000007
【図６】
2005234613.tif 000008
【図７】
2005234613.tif 000009
【図８】
2005234613.tif 000010
【図９】
2005234613.tif 000011